(57)【要約】【課題】撮影環境に応じて補助光を切り替えて被写体に照射することでエネルギーを効率良く使用することのできるカメラを提供することである。【解決手段】カメラ１は、ＡＦセンサユニット７１の測距結果にしたがって撮影レンズ１１の焦点調節を行うＡＦモードと、手動操作に応答して上記撮影レンズ１１の焦点調節を行うＭＦモードとを有し、上記ＡＦセンサユニット７１による焦点調節動作、若しくは上記手動操作による焦点調節動作の際、被写体が低輝度であれば上記被写体に向けてストロボ発光部４１から補助光を照射する。そして、カメラ１は上記ストロボ発光部４１とは異なるＡＦ補助光用ＬＥＤ４８を照射可能であって、ＡＦモード時はストロボ発光部４１を照射し、ＭＦモード時はＡＦ補助光用ＬＥＤ４８を照射する。【選択図】      図５
2007072193.tif 000002
【特許請求の範囲】
【請求項１】
測距手段を含み、該測距手段の測距結果にしたがって撮影レンズの焦点調節を行う第１の焦点調節手段と、
手動操作部材を含み、該手動操作部材の操作に応答して上記撮影レンズの焦点調節を行う第２の焦点調節手段と、
上記第１の焦点調節手段による焦点調節動作、若しくは上記第２の焦点調節手段による焦点調節動作の際、被写体が低輝度であれば上記被写体に向けて補助光を照射する補助光手段と、
を具備するカメラに於いて、
上記補助光手段は、種類の異なる第１及び第２の補助光を照射可能であって、上記第１の焦点調節手段による焦点調節動作時は上記第１の補助光を照射し、上記第２の焦点調節手段による焦点調節動作時は上記第２の補助光を照射することを特徴とするカメラ。
【請求項２】
上記第１の補助光は上記測距手段に連動して照射され、上記第２の補助光は上記第２の焦点調節手段による焦点調節動作の期間中、連続的に照射されることを特徴とする請求項１に記載のカメラ。
【請求項３】
上記第２の補助光は可視光であることを特徴とする請求項２に記載のカメラ。
【請求項４】
上記第１の補助光はストロボから発せられ、上記第２の補助光はランプ若しくは発光ダイオードから発せられることを特徴とする請求項２に記載のカメラ。
【請求項５】
撮影レンズの焦点を調節して被写体を測距可能な測距手段と、焦点調節の際に上記被写体が低輝度であれば上記被写体に向けて補助光を照射する補助光手段と、を具備し、上記測距手段を使用して上記被写体の測距を行う第１の焦点調節モードと、手動操作によって上記撮影レンズの焦点を調節する第２の焦点調節モードとを有するカメラに於いて、
上記補助光手段は第１の補助光を照射する第１の補助光手段と、上記第１の補助光と種類の異なる第２の補助光を照射する第２の補助光手段とを有し、
上記第１の焦点調節モードによる焦点調節動作時は上記第１の補助光手段による第１の補助光を照射し、上記第２の焦点調節モードによる焦点調節動作時は上記第２の補助光手段による第２の補助光を照射することを特徴とするカメラ。
【請求項６】
上記第１の補助光手段による第１の補助光は上記測距手段に連動して照射され、上記第２の補助光手段による第２の補助光は上記第２の焦点調節モードによる焦点調節動作の期間中、連続的に照射されることを特徴とする請求項５に記載のカメラ。
【請求項７】
上記第２の補助光手段による第２の補助光は可視光であることを特徴とする請求項６に記載のカメラ。
【請求項８】
上記第１の補助光手段はストロボ発光部で構成され、上記第２の補助光手段はランプ若しくは発光ダイオードで構成されることを特徴とする請求項７に記載のカメラ。
【請求項９】
上記第１の補助光手段は赤外発光ダイオードで構成され、上記第２の補助光手段はランプ若しくは発光ダイオードで構成されることを特徴とする請求項７に記載のカメラ。
【請求項１０】
撮影レンズの焦点を調節して被写体を測距可能な測距手段と、焦点調節の際に上記被写体が低輝度か否かを判定する判定手段と、上記被写体に向けて補助光を照射する補助光手段と、上記判定手段で低輝度であると判定された場合に上記補助光手段を上記被写体に向けて照射させる制御手段と、を具備するカメラに於いて、
上記カメラは、上記測距手段によって上記被写体の測距を行う第１の焦点調節モードと、手動操作によって上記撮影レンズの焦点を調節する第２の焦点調節モードとを有し、
上記補助光手段は、第１の補助光を照射する第１の補助光手段と、上記第１の補助光と種類の異なる第２の補助光を照射する第２の補助光手段とを有し、
上記制御手段は、上記第１の焦点調節モードによる焦点調節動作時は上記第１の補助光手段による第１の補助光を照射し、上記第２の焦点調節モードによる焦点調節動作時は上記第２の補助光手段による第２の補助光を照射するように制御することを特徴とするカメラ。
【請求項１１】
上記制御手段は、上記第１の補助光手段による第１の補助光を上記測距手段に連動して照射させ、上記第２の補助光手段による第２の補助光を上記第２の焦点調節モードによる焦点調節動作の期間中に連続的に照射させることを特徴とする請求項１０に記載のカメラ。
【請求項１２】
上記第２の補助光手段による第２の補助光は可視光であることを特徴とする請求項１１に記載のカメラ。
【請求項１３】
上記第１の補助光手段はストロボ発光部で構成され、上記第２の補助光手段はランプ及び発光ダイオードの何れか一方で構成されることを特徴とする請求項１２に記載のカメラ。
【請求項１４】
上記第１の補助光手段は赤外発光ダイオードで構成され、上記第２の補助光手段はランプ及び発光ダイオードの何れか一方で構成されることを特徴とする請求項１２に記載のカメラ。
【発明の詳細な説明】
【技術分野】
【０００１】
本発明はカメラに関し、より詳しくは種類の異なる補助光を照射可能なカメラに関するものである。
【背景技術】
【０００２】
通常、自動測距（オートフォーカス；ＡＦ）機能を有したカメラでは、被写体が様々な条件で与えられるため、被写体が暗い場合にはＡＦ補助光としてストロボを連続して発光させる。こうしたストロボを使用した撮影は、エネルギーが強くて遠い被写体に対して有利である。
【０００３】
一方、マニュアルフォーカス（ＭＦ）によって撮影されるシーンは、ＡＦを苦手とする被写体が多い。例えば、近接撮影（マクロ撮影）が代表例である。マクロ撮影では、僅かに測距がずれることでピント位置が大きく異なってしまうため、ＡＦではなかなか撮影者の意図にそぐわない。ＭＦ撮影は、撮影者の目によって確認しながら行うため、長時間の照射が必要となり、ストロボ補助光は不向きである。また、発光ダイオードはエネルギーは少ないため、遠い被写体には向かないが近い被写体に対しては有利である。
【０００４】
このようなＭＦ時及び低輝度時にＡＦ補助光を点灯させるビデオカメラは、例えば、下記特許文献１に開示されている。
【特許文献１】特開平１１−２３４５４８号公報
【発明の開示】
【発明が解決しようとする課題】
【０００５】
しかしながら、上述した特許文献１に開示されているような技術では、ＭＦ時で且つ低輝度時にＡＦ補助光としてストロボを発光させている。このストロボによる補助光は、上述したように、エネルギーが強いため、ＭＦ撮影時に連続的に発光させると多大なエネルギーを必要とするという課題を有している。
【０００６】
したがって、本発明は上記課題に鑑みてなされたものであり、その目的は、撮影環境に応じて補助光を切り替えて被写体に照射することでエネルギーを効率良く使用することのできるカメラを提供することである。
【課題を解決するための手段】
【０００７】
すなわち請求項１に記載の発明は、測距手段を含み、該測距手段の測距結果にしたがって撮影レンズの焦点調節を行う第１の焦点調節手段と、手動操作部材を含み、該手動操作部材の操作に応答して上記撮影レンズの焦点調節を行う第２の焦点調節手段と、上記第１の焦点調節手段による焦点調節動作、若しくは上記第２の焦点調節手段による焦点調節動作の際、被写体が低輝度であれば上記被写体に向けて補助光を照射する補助光手段と、を具備するカメラに於いて、上記補助光手段は、種類の異なる第１及び第２の補助光を照射可能であって、上記第１の焦点調節手段による焦点調節動作時は上記第１の補助光を照射し、上記第２の焦点調節手段による焦点調節動作時は上記第２の補助光を照射することを特徴とする。
【０００８】
請求項２に記載の発明は、請求項１に記載の発明に於いて、上記第１の補助光は上記測距手段に連動して照射され、上記第２の補助光は上記第２の焦点調節手段による焦点調節動作の期間中、連続的に照射されることを特徴とする。
【０００９】
請求項３に記載の発明は、請求項２に記載の発明に於いて、上記第２の補助光は可視光であることを特徴とする。
【００１０】
請求項４に記載の発明は、請求項２に記載の発明に於いて、上記第１の補助光はストロボから発せられ、上記第２の補助光はランプ若しくは発光ダイオードから発せられることを特徴とする。
【００１１】
請求項５に記載の発明は、撮影レンズの焦点を調節して被写体を測距可能な測距手段と、焦点調節の際に上記被写体が低輝度であれば上記被写体に向けて補助光を照射する補助光手段と、を具備し、上記測距手段を使用して上記被写体の測距を行う第１の焦点調節モードと、手動操作によって上記撮影レンズの焦点を調節する第２の焦点調節モードとを有するカメラに於いて、上記補助光手段は第１の補助光を照射する第１の補助光手段と、上記第１の補助光と種類の異なる第２の補助光を照射する第２の補助光手段とを有し、上記第１の焦点調節モードによる焦点調節動作時は上記第１の補助光手段による第１の補助光を照射し、上記第２の焦点調節モードによる焦点調節動作時は上記第２の補助光手段による第２の補助光を照射することを特徴とする。
【００１２】
請求項６に記載の発明は、請求項５に記載の発明に於いて、上記第１の補助光手段による第１の補助光は上記測距手段に連動して照射され、上記第２の補助光手段による第２の補助光は上記第２の焦点調節モードによる焦点調節動作の期間中、連続的に照射されることを特徴とする。
【００１３】
請求項７に記載の発明は、請求項６に記載の発明に於いて、上記第２の補助光手段による第２の補助光は可視光であることを特徴とする。
【００１４】
請求項８に記載の発明は、請求項７に記載の発明に於いて、上記第１の補助光手段はストロボ発光部で構成され、上記第２の補助光手段はランプ若しくは発光ダイオードで構成されることを特徴とする。
【００１５】
請求項９に記載の発明は、請求項７に記載の発明に於いて、上記第１の補助光手段は赤外発光ダイオードで構成され、上記第２の補助光手段はランプ若しくは発光ダイオードで構成されることを特徴とする。
【００１６】
請求項１０に記載の発明は、撮影レンズの焦点を調節して被写体を測距可能な測距手段と、焦点調節の際に上記被写体が低輝度か否かを判定する判定手段と、上記被写体に向けて補助光を照射する補助光手段と、上記判定手段で低輝度であると判定された場合に上記補助光手段を上記被写体に向けて照射させる制御手段と、を具備するカメラに於いて、上記カメラは、上記測距手段によって上記被写体の測距を行う第１の焦点調節モードと、手動操作によって上記撮影レンズの焦点を調節する第２の焦点調節モードとを有し、上記補助光手段は、第１の補助光を照射する第１の補助光手段と、上記第１の補助光と種類の異なる第２の補助光を照射する第２の補助光手段とを有し、上記制御手段は、上記第１の焦点調節モードによる焦点調節動作時は上記第１の補助光手段による第１の補助光を照射し、上記第２の焦点調節モードによる焦点調節動作時は上記第２の補助光手段による第２の補助光を照射するように制御することを特徴とする。
【００１７】
請求項１１に記載の発明は、請求項１０に記載の発明に於いて、上記制御手段は、上記第１の補助光手段による第１の補助光を上記測距手段に連動して照射させ、上記第２の補助光手段による第２の補助光を上記第２の焦点調節モードによる焦点調節動作の期間中に連続的に照射させることを特徴とする。
【００１８】
請求項１２に記載の発明は、請求項１１に記載の発明に於いて、上記第２の補助光手段による第２の補助光は可視光であることを特徴とする。
【００１９】
請求項１３に記載の発明は、請求項１２に記載の発明に於いて、上記第１の補助光手段はストロボ発光部で構成され、上記第２の補助光手段はランプ及び発光ダイオードの何れか一方で構成されることを特徴とする。
【００２０】
請求項１４に記載の発明は、請求項１２に記載の発明に於いて、上記第１の補助光手段は赤外発光ダイオードで構成され、上記第２の補助光手段はランプ及び発光ダイオードの何れか一方で構成されることを特徴とする。
【発明の効果】
【００２１】
本発明によれば、撮影環境に応じて補助光を切り替えて被写体に照射することでエネルギーを効率良く使用することのできるカメラを提供することができる。
【発明を実施するための最良の形態】
【００２２】
以下、図面を参照して、本発明の実施形態を説明する。
【００２３】
（第１の実施形態）
図１乃至図３は、本発明に係る一眼レフレックスタイプのデジタルカメラの外観構成を示すもので、図１はストロボ発光ユニットを収納した状態のカメラを右側後方より見た斜視図、図２はストロボ発光ユニットをポップアップした状態のカメラを左側後方より見た斜視図、図３はストロボ発光ユニットをポップアップした状態のカメラの正面図である。
【００２４】
この一眼レフレックスタイプのデジタルカメラ（以下、カメラと略記する）１は、交換レンズとしてのレンズ鏡筒１０と、カメラ本体２０から主に構成されている。カメラ本体２０の前面には、所望のレンズ鏡筒１０が着脱自在に設定されている。また、カメラ本体２０の前面で、詳細を後述するストロボ発光ユニット４０の近傍には、後述するＡＦ補助光用ＬＥＤ（ＬＥＤ）４８用のＡＦ補助光用ＬＥＤ窓４２が設けられている。
【００２５】
カメラ本体２０の上面には、レリーズ釦２１と、モードダイヤル２２と、パワースイッチレバー２３と、コントロールダイヤル２４等と、後述するストロボ発光ユニット４０が設けられている。
【００２６】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２７】
モードダイヤル２２は、撮影時の撮影モードを設定するための手動操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２８】
コントロールダイヤル２４は、撮影情報の設定を行うための部材である。このコントロールダイヤル２４が操作されることにより、撮影時に種々の設定が行われる。
【００２９】
ボディユニット２０の背面部には、撮影画像やメニュー等を表示するための表示手段を構成する液晶モニタ２６と、再生釦２７と、メニュー釦２８と、十字キー３０と、ＯＫ釦３１と、接眼光学系のファインダ３３と、ポップアップ釦３４等が配置されている。
【００３０】
上記再生釦２７は、カメラ１の動作モードを、後述するＳＤＲＡＭ６２や記録用のメディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。例えば、後述するＡＦセンサユニット７１の出力に応じて撮影レンズを駆動する第１の焦点調節モードであるオートフォーカス（ＡＦ）モードと、撮影者の手動操作に応じて撮影レンズを駆動する第２の焦点調節モードであるマニュアルフォーカス（ＭＦ）モードの切り替えについても、このメニュー項目に含まれている。
【００３１】
更に、ポップアップ釦３４は、この釦を押下することで、通常、図１に示されるように収納されているストロボ発光ユニット４０を、使用時に、図２、図３に示されるようにポップアップさせるために設けられている。
【００３２】
図４は、本発明の第１の実施形態に於けるカメラのファインダ光学系の構成を示す斜視図である。
【００３３】
ファインダ光学系５０は、レンズ鏡筒内の撮影レンズ１１を通過した被写体からの光束を、上記ファインダ３３を構成する接眼レンズ５７へと導くための複数のミラー、すなわち、光学素子である第１反射ミラー５１、第２反射ミラー５２、第３反射ミラー５３、第４反射ミラー５４と、フォーカシングスクリーン５６と、接眼レンズ５７とを有して構成される。
【００３４】
上記第１反射ミラー５１は軸５１ａを中心に図示矢印Ａ方向に回動可能に構成されるもので、その一部が図示されないＡＦセンサのためにハーフミラーで構成されている。第１反射ミラー５１は、被写体の観察時は図示の如く、撮影レンズ１１から入射された光束を、撮影レンズ１１の光軸に対し略９０°の角度である第２反射ミラー５２の方向、すなわちカメラ本体２０のレンズ鏡筒１０側より見て右方向に反射する。そして、撮像時は、撮影光路より退避されて、被写体からの光束が、第１反射ミラー５１の後方に配置される撮像素子（図示せず）に導かれるように動作する。
【００３５】
上記第１反射ミラー５１の反射面で反射された光束は、フォーカシングスクリーン５６を介して第２反射ミラー５２に入射する。この第２反射ミラー５２は、上記第１反射ミラー５１からの反射光軸上であって、その反射面が上記第１反射ミラー５１の反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体２０の上方に向けて反射される。
【００３６】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体２０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００３７】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラー５４の反射面の反射光軸上に配置された接眼レンズ５７に入射される。
【００３８】
上記フォーカシングスクリーン５６は、上述したファインダ光学系５０に入射された光束を光学像として結像させるために、該光束を拡散させる拡散面を有するもので、後述する撮影用撮像素子６７の撮像面上と光学的に等価な位置に配置されている。
【００３９】
また、上記第２反射ミラー５２と第４反射ミラー５４は、ハーフミラーで構成されている。第２反射ミラー５２の反射面の裏面側には、被写体の明るさを測定する測光センサ６３が配置されている。一方、第４反射ミラー５４の反射面の裏面側には、結像レンズ６０及び表示用撮像素子６１が配設されている。この表示用撮像素子６１は、フォーカシングスクリーン５６上の像を、結像レンズ６０を介して結像するためのものである。したがって、表示用撮像素子６１に結像された像は反転しているものの、撮影者の目５８が見ている像と同じものとなる。
【００４０】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ３３）を通して、撮影者の眼５８でフォーカシングスクリーン５６上に結像した被写体像が観察可能となる。
【００４１】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００４２】
図５は、本発明の第１の実施形態に係るカメラのシステム構成を示すブロック図である。
【００４３】
図５に於いて、上記レンズ鏡筒１０は、上記カメラ本体２０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４４】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ９５を介して、後述するボディ制御用マイクロコンピュータ８０と電気的に接続がなされ、該ボディ制御用マイクロコンピュータ８０の指令に従って制御される。
【００４５】
一方、カメラ本体２０は、以下のように構成されている。
【００４６】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図４参照）等を介して、接眼レンズ５７に至る。また、第１反射ミラー５１のハーフミラーの部分を透過した被写体光束の一部は、第１反射ミラー５１とは独立して作動するＡＦ用可動ミラー７０で反射されて、自動測距を行うための第１の焦点調節手段であるＡＦセンサユニット７１に導かれる。尚、図５に於いては、第１反射ミラー５１は別に示されているが、第２乃至第４の反射ミラー等と共にファインダ光学系５０を構成しているものである。
【００４７】
光軸上で上記第１反射ミラー５１の後方には、フォーカルプレーン式のシャッタ６６と、光学系を通過した被写体像を光電変換するための撮像光学系の光電変換素子であり、ＣＣＤ等で構成される撮影用撮像素子６７が設けられている。つまり、第１反射ミラー５１が撮影光路より退避した場合、撮影レンズ１１及び絞り１２を通った光束は、撮影用撮像素子６７の撮像面上に結像される。
【００４８】
上記表示用撮像素子６１と上記撮影用撮像素子６７は、インターフェイス回路８１を介して、画像処理を行うための画像処理コントローラ８２に接続されている。そして、この画像処理コントローラ８２には、上述した液晶モニタ２６と、記憶領域として設けられたＳＤＲＡＭ８３、ＦｌａｓｈＭｅｍｏｒｙ８４及び記録メディア８５等が接続されている。これらは、電子撮像機能と共に電子記録表示機能を提供できるように構成されている。
【００４９】
上記記録メディア８５は、図示されないカメラのインターフェイスを介してカメラ本体２０に対し脱着可能な各種のメモリカードや外付けのハードディスクドライブ（ＨＤＤ）等の外部記録媒体である。
【００５０】
上記画像処理コントローラ８２は、測光センサ６３を含む測光回路８７と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体２０内の各部を制御するための制御手段及び判定手段であるボディ制御用マイクロコンピュータ（以下、Ｂμｃｏｍと略記する）８０１に接続されている。
【００５１】
上記Ｂμｃｏｍ９５には、また、当該カメラの動作状態を表示出力によって撮影者へ告知するための動作表示用ＬＣＤ９０と、カメラ操作スイッチ（ＳＷ）９１と、電源回路９２を介して電池９３とが接続されている。
【００５２】
尚、上記Ｂμｃｏｍ８０とＬμｃｏｍ１５とは、レンズ鏡筒１０の装着時に於いて、通信コネクタ９５を介して通信可能に電気的接続がなされる。そして、デジタルカメラとして、Ｌμｃｏｍ１５がＢμｃｏｍ８０に従属的に協働しながら稼動するようになっている。
【００５３】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号の授受を行う。また、上記測光回路８７は、第２反射ミラー５２近傍の測光センサ６３の電気信号に基づいて測光処理する回路である。
【００５４】
不揮発性メモリ８８は、上述したＳＤＲＡＭ８３、ＦｌａｓｈＭｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００５５】
動作表示用ＬＣＤ９０は、当該カメラの動作状態を表示出力によってユーザへ告知するためのものである。上記カメラ操作スイッチ９０は切り換え手段として、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００５６】
更に、Ｂμｃｏｍ８０には、充電発光制御回路４４を介して、第１の補助光を照射する閃光発光管４３を含むストロボ発光部４１及び発光用コンデンサ４５が接続されると共に、駆動回路４７を介して第２の補助光を照射する第２の補助光手段であるＡＦ補助光用ＬＥＤ４８が接続されている。上記閃光発光管４３を含むストロボ発光部４１、充電発光制御回路４４発光用コンデンサ４５は、第１の補助光手段として上述したストロボユニット４０を構成するものであり、その構成については周知のものであるのでここでの説明は省略する。
【００５７】
図６は、上記駆動回路４７及びＡＦ補助光用ＬＥＤ４８の回路構成の例を示した図である。図６に於いて、Ｂμｃｏｍ８０の出力ポートにトランジスタＱ１が接続されている。ＡＦ補助光用ＬＥＤ４８（Ｄ１）は、スイッチングトランジスタＱ１と抵抗Ｒ１が接続されたトランジスタＱ２の間に接続されている。このトランジスタＱ２は、抵抗Ｒ２、オペアンプＵ１と共にフィードバック回路を構成している。オペアンプＵ１のプラス側入力端子には、Ｂμｃｏｍ８０のＤ／Ａポートに接続された分割抵抗Ｒ３、Ｒ４に接続されている。
【００５８】
このような構成の駆動回路４７に於いて、ＡＦ補助光用ＬＥＤ４８（Ｄ１）のオン／オフはＢμｃｏｍ８０のＤ／Ａポートの制御によっても可能であるが、この場合は出力ポートでスイッチングトランジスタＱ１を制御することによって、ＡＦ補助光用ＬＥＤ４８（Ｄ１）をオン／オフすることができる。そして、上述した分割抵抗Ｒ３、Ｒ４にて抵抗分割された電位と等しくなるようにトランジスタＱ２が制御され、抵抗Ｒ１が所定電位になるような電流値が設定される。これにより、ＡＦ補助光用ＬＥＤ４８（Ｄ１）が所定電流で点灯される。
【００５９】
尚、このＡＦ補助光用ＬＥＤ４８（Ｄ１）は、ストロボ発光部４１の閃光発光管４３に比べて光量は小さいが長時間の照射が可能である。
【００６０】
次に、図７乃至図１０のフローチャートを参照して、本発明の第１の実施形態に於けるカメラの動作について説明する。尚、このカメラの動作は、主にＢμｃｏｍ８０の制御によって行われる。
【００６１】
図７は、第１の実施形態に於けるカメラ１の基本的な動作を説明するフローチャートである。
【００６２】
電池９３がカメラ本体２０内に装填されると本ルーチンが開始される。そして、先ず、ステップＳ１にてカメラの初期設定が行われる。次いで、ステップＳ２に於いて、パワースイッチレバー２３の操作状態が検出される。ここで、パワースイッチレバー２３が操作されて電源がオンされると、続くステップＳ３にて操作釦が検出される。そして、この操作釦の検出により、ステップＳ４にて釦・モードの変更処理がなされる。更に、ステップＳ５にてサブルーチン「常時測距」が実行される。
【００６３】
ここで、図８のフローチャートを参照して、サブルーチン「常時測距」の動作について説明する。
【００６４】
図８は、図７のフローチャートのステップＳ５に於けるサブルーチン「常時測距」の動作を説明するフローチャートである。
【００６５】
本サブルーチンに入ると、先ずステップＳ３１にてＡＦセンサユニット７１内のＡＦセンサによる積分が開始される。そして、ステップＳ３２にて積分が完了したならば、ステップＳ３３に移行して積分時間が検出される。これにより、明るさが検出される。次いで、ステップＳ３４にてＡＦセンサのセンサデータが読み込まれると、更にステップＳ３５にて該センサデータについて演算処理がなされる。
【００６６】
そして、ステップＳ３６に於いて、上記センサデータが所定値と比較されて、該センサデータが低い（暗い）か否かが判定される。ここで、センサデータが低くなければステップＳ３７に移行して低輝度フラグがリセットされる。一方、センサデータが低い場合は、ステップＳ３８に移行して低輝度フラグがセットされる。
【００６７】
次に、ステップＳ３９に於いて、上記ステップＳ３５にてセンサデータが演算処理された結果、コントラストが低いか否かが判定される。ここで、コントラストが低くない場合はステップＳ４０へ移行して、所定のローコントラストフラグがリセットされる。一方、コントラストが低いと判定された場合は、ステップＳ４１へ移行して上記ローコントラストフラグがセットされる。
【００６８】
その後、ステップＳ４２にてデフォーカス量が演算され、更にステップＳ４３にて装着されているレンズ鏡筒１０のレンズ駆動量が演算されると、本サブルーチンを抜けて、図７のフローチャートに於けるステップＳ６へ移行する。
【００６９】
上記ステップＳ５にてサブルーチン「常時測距」が実行されると、続くステップＳ６では測光処理が行われる。次いで、ステップＳ７にて、液晶モニタ２６に露出情報が更新されて表示される。そして、ステップＳ８に於いて、現在のモードがオートフォーカス（ＡＦ）であるかマニュアルフォーカス（ＭＦ）であるかが判定される。ここで、ＡＦモードである場合はステップＳ９へ移行し、ＭＦモードである場合はステップＳ１７へ移行する。
【００７０】
上記ステップＳ８にてＡＦモードであると判定された場合は、次にステップＳ９に於いて、レリーズ釦２１の半押し操作である第１レリーズ（１Ｒ）スイッチがオンされたか否かが判定される。ここで、第１レリーズスイッチがオンされていなければ上記ステップＳ２へ移行して以降の処理が繰り返される。一方、第１レリーズスイッチがオンされていれば、ステップＳ１０にて測光処理が行われる。次いで、ステップＳ１１にて、サブルーチン「測距」が実行される。
【００７１】
一方、上記ステップＳ８にてＭＦモードであると判定された場合は、次にステップＳ１７に於いて、レリーズ釦２１の半押し操作である第１レリーズ（１Ｒ）スイッチがオンされたか否かが判定される。ここで、第１レリーズスイッチがオンされていなければ、ステップＳ１８に移行してＡＦ補助光用ＬＥＤ４８が消灯される。その後、上記ステップＳ２へ移行して以降の処理が繰り返される。また、ステップＳ１７にて第１レリーズスイッチがオンされていれば、ステップＳ１９にて測光処理が行われる。次いで、ステップＳ２０にて、サブルーチン「測距」が実行される。
【００７２】
ここで、図９及び図１０のフローチャートを参照して、サブルーチン「測距」の動作について説明する。
【００７３】
図９及び図１０は、図７のフローチャートのステップＳ１１及びＳ２０に於けるサブルーチン「測距」の動作を説明するフローチャートである。
【００７４】
本サブルーチンに入ると、先ずステップＳ５１に於いて、前回の積分結果が低輝度であったか否かが判定される。ここで、低輝度であった場合は後述するステップＳ６７へ移行し、そうでない場合はステップＳ５２へ移行する。そして、ステップＳ５２では、前回の積分結果がローコントラストであったか否かが判定される。ここで、ローコントラストであった場合は後述するステップＳ６７へ移行し、そうでない場合はステップＳ５３へ移行する。
【００７５】
ステップＳ５３では、ＡＦセンサユニット７１内のＡＦセンサによる積分が開始される。そして、ステップＳ５４にて積分が完了したとされたならば、続くステップＳ５５にて積分時間が検出される。更に、ステップＳ５６では、ＡＦセンサのセンサデータが読み込まれ、ステップＳ５７では上記センサデータの演算処理が行われる。
【００７６】
次に、ステップＳ５８に於いて、上記ステップＳ５７で演算処理されたセンサデータの値が判定される。ここで、センサデータが低いと判定されたならば、ステップＳ６０に移行して低輝度のフラグがセットされた後、後述するステップＳ６７へ移行する。一方、センサデータが低くなければ、ステップＳ５９へ移行して低輝度フラグがリセットされる。そして、ステップＳ６１に於いて、今度はコントラストが判定される。ここで、コントラストが低いと判定されたならば、ステップＳ６３へ移行してローコントラストフラグがセットされた後、後述するステップＳ６７へ移行する。一方、ステップＳ６１にてコントラストが高いと判定された場合は、ステップＳ６２に移行してローコントラストフラグがリセットされる。
【００７７】
ステップＳ６４では、デフォーカス量が演算される。次いで、ステップＳ６５に於いて、現在のモードがオートフォーカス（ＡＦ）かマニュアルフォーカス（ＭＦ）であるかが判定される。この場合、ステップＳ１１のサブルーチン「測距」であるのか、ステップＳ２０のサブルーチン「測距」であるのかによって決定される。ここで、ＡＦモードである場合は、ステップＳ６６へ移行して装着されているレンズの駆動量が演算される。その後、本サブルーチンを抜けて、図７のフローチャートに於けるステップＳ１２へ移行する。一方、上記ステップＳ６５にてＭＦモードであった場合は、ステップＳ６６をスキップして本サブルーチンを抜け、図７のフローチャートに於けるステップＳ２１へ移行する。
【００７８】
また、ステップＳ６７では、ＡＦセンサユニット７１内のＡＦセンサの積分が開始される。次いで、ステップＳ６８にて現在のモードがオートフォーカス（ＡＦ）かマニュアルフォーカス（ＭＦ）であるかが判定される。ここで、ＡＦモードである場合はステップＳ６９へ移行し、ＭＦモードである場合はステップＳ７１へ移行する。
【００７９】
ステップＳ６８にてＡＦモードである場合は、ステップＳ６９にてストロボの間欠発光によるＡＦ補助光が点灯される。そして、ステップＳ７０にて積分完了となるまで、ステップＳ６９及びＳ７０の処理が繰り返される。一方、上記ステップＳ６８にてＭＦモードの場合は、ステップＳ７１に移行してＬＥＤによるＡＦ補助光、すなわちＡＦ補助光用ＬＥＤ４８が点灯される。この点灯は、ステップＳ７２にて積分が完了するまで続けられる。すなわち、ステップＳ７１及びＳ７２の処理が繰り返される。
【００８０】
ステップＳ７３では積分時間が検出され、続くステップＳ７４ではセンサデータが読み込まれる。更に、ステップＳ７５にて、センサデータの演算が処理される。そして、ステップＳ７６に於いて、センサデータの値が低いか否かが判定される。
【００８１】
ここで、センサデータが低い場合は、ステップＳ８０に移行して測距不能の表示が液晶モニタ２６またはファインダ３３内になされる。その後、本サブルーチンを抜けて図７のフローチャートに於けるステップＳ１２またはＳ２１へ移行する。また、上記ステップＳ７６にてセンサデータが高い場合は、ステップＳ７７に於いて補助光発光がなされたか否かが判定される。その結果、補助光が発光されていない場合は、ステップＳ７８に移行して低輝度フラグがリセットされる。一方、上記ステップＳ７７にて補助光発光がなされない場合は、ステップＳ７８がスキップされる。
【００８２】
ステップＳ７９では、上記センサデータのコントラストが判定される。ここで、コントラストが低い場合はステップＳ８０へ移行し、そうでない場合はステップＳ８１へ移行する。このステップＳ８１では、再び補助光発光がなされたか否かが判定される。その結果、補助光が発光されていない場合は、ステップＳ８２に移行してローコントラストフラグがリセットされる。一方、上記ステップＳ８１にて補助光発光がなされない場合は、ステップＳ８２がスキップされる。
【００８３】
次に、ステップＳ８３ではデフォーカス量が演算され、更にステップＳ８４に於いて現在のモードがオートフォーカス（ＡＦ）であるかマニュアルフォーカス（ＭＦ）であるか否かが判定される。ここで、ＡＦモードである場合はステップＳ８５に移行して、装着されているレンズ鏡筒１０のレンズ駆動量が演算されると、本サブルーチンを抜けて、図７のフローチャートに於けるステップＳ１２へ移行する。一方、上記ステップＳ８４にてＭＦモードである場合は、上記ステップＳ８５がスキップされて本サブルーチンを抜け、図７のフローチャートに於けるステップＳ２１へ移行する。
【００８４】
図７のフローチャートに戻って、ＡＦモードであるステップＳ１１のサブルーチン「測距」が実行されると、続くステップＳ１２に於いて、撮影レンズ１１が合焦したか否かが判定される。ここで、合焦していればステップＳ１４へ移行するが、合焦していない場合は、ステップＳ１３へ移行して撮影レンズ１１が駆動された後、上記ステップＳ９へ移行して以降の処理が繰り返される。
【００８５】
ステップＳ１４では液晶モニタ２６若しくはファインダ３３内に合焦表示がなされる。次いで、ステップＳ１５に於いて、再度第１レリーズスイッチの状態が判定される。ここで、第１レリーズスイッチがオフならば上記ステップＳ２へ移行して以降の処理が繰り返される。一方、第１レリーズスイッチがオンならば、続くステップＳ１６に於いて、レリーズ釦２１の全押し操作である第２レリーズ（２Ｒ）スイッチがオンされたか否かが判定される。その結果、第２レリーズスイッチがオンされていなければ上記ステップＳ１５へ移行し、オンされていればステップＳ２６へ移行する。
【００８６】
これに対し、ＭＦモードであるステップＳ２０のサブルーチン「測距」が実行されると、続くステップＳ２１に於いて、撮影レンズ１１が合焦したか否かが判定される。ここで、合焦していればステップＳ２２に移行して合焦した旨の表示が液晶モニタ２６またはファインダ３３内になされる。一方、上記ステップＳ２１にて、まだ合焦していない場合は、ステップＳ２３へ移行して合焦表示が消灯される。そして、ステップＳ２４に於いて、レリーズ釦２１の全押し操作である第２レリーズ（２Ｒ）スイッチがオンされたか否かが判定される。その結果、第２レリーズスイッチがオンされていなければ上記ステップＳ１７へ移行して以降の処理が繰り返される。一方、第２レリーズスイッチがオンされていれば、ステップＳ２５へ移行してＡＦ補助光用ＬＥＤ４８が消灯される。その後、ステップＳ２６へ移行する。
【００８７】
次に、ステップＳ２６では、撮影用撮像素子６７によって露出・撮像の処理が行われる。次いで、ステップＳ２７にて、上記撮影用撮像素子６７から画像情報の読み込みが行われる。そして、ステップＳ２８にて画像処理コントローラ８２等により画像処理が行われる。更に、ステップＳ２９にて、上記ステップＳ２８で画像処理された画像データが記録メディア８５等に記録される。その後、上記ステップＳ２へ移行して以降の処理が繰り返される。
【００８８】
以上のように、第１の実施形態によれば、オートフォーカス、マニュアルフォーカスの別に応じて補助光を切り替えて被写体に照射することでエネルギーを効率良く使用することができる。
【００８９】
次に、第１の実施形態の変形例について説明する。
【００９０】
上述した第１の実施形態では、ＭＦモード時のＡＦ補助光としてＬＥＤを点灯させていたが、これに限られるものではない。例えば、可視光のランプを用いても良いものである。
【００９１】
図１１は、上述した第１の実施形態に於いて、ＭＦ時のＡＦ補助光をＬＥＤから可視光ランプに替えた場合の駆動回路及びその周辺の回路構成図である。
【００９２】
この図１１に於いては、図６の回路構成図のＬＥＤＤ１を可視光のランプＬ１に替えており、またスイッチングトランジスタＱ１を削除している。その他のオペアンプＵ１、トランジスタＱ２及び抵抗Ｒ１〜Ｒ４については図６の回路構成と同じであるので説明は省略する。この場合、可視光ランプＬ１のオン／オフは、スイッチングトランジスタＱ１を有していないので、Ｂμｃｏｍ８０のＤ／Ａポートの制御によって行われる。その他の動作については、上述した図６の回路の動作と同じであるのでここでは説明を省略する。これにより、可視光ランプＬ１は所定電流で点灯される。
【００９３】
（第２の実施形態）
次に、本発明の第２の実施形態について説明する。
【００９４】
上述した第１の実施形態ではＡＦモード時のＡＦ補助光にストロボを用いていたのに対し、本第２の実施形態では赤外ＬＥＤを用い、ＭＦモード時のＡＦ補助光には可視光ＬＥＤを用いるようにしている。
【００９５】
尚、第２の実施形態に於けるカメラの構成及び基本的な動作については、図１乃至図１１に示される第１の実施形態のカメラの構成及び動作と同じであるので、同一の部分には同一の参照番号を付して、その図示及び説明を省略し、異なる部分についてのみ説明する。
【００９６】
図１２は、上述した第１の実施形態に於いて、ＡＦ補助光をＬＥＤから可視光ランプに替えた場合の駆動回路及びその周辺の回路構成図である。
【００９７】
図１２に於いて、赤外ＬＥＤＤ２及び可視光ＬＥＤＤ３が、それぞれスイッチングトランジスタＱ３及びＱ４とトランジスタＱ２の間に接続されている。そして、スイッチングトランジスタＱ３はＢμｃｏｍ８０の出力ポート１に、スイッチングトランジスタＱ４はＢμｃｏｍ８０の出力ポート２に、それぞれ接続されている。その他のオペアンプＵ１、トランジスタＱ２及び抵抗Ｒ１〜Ｒ４については図６の回路構成と同じであるので説明は省略する。
【００９８】
このような構成に於いて、ＡＦモード時はＢμｃｏｍ８０の出力ポート１がオンにされ、スイッチングトランジスタＱ３がオンにされて赤外ＬＥＤＤ２が点灯される。一方、ＭＦモード時はＢμｃｏｍ８０の出力ポート２がオンにされ、スイッチングトランジスタＱ４がオンにされて可視光ＬＥＤＤ３が点灯される。これにより、赤外ＬＥＤＤ２、可視光ＬＥＤＤ３は、それぞれ所定電流で点灯される。
【００９９】
次に、図１３及び図１４を参照して、本発明の第２の実施形態に於けるカメラの基本的な動作のうち、上述した図７のフローチャートのステップＳ１１またはＳ２０のサブルーチン「測距」の動作について説明する。
【０１００】
尚、図１３及び図１４のフローチャートに於いて、ステップＳ９１〜Ｓ１０８、及びステップＳ１１０、Ｓ１１２〜Ｓ１２５の動作については、上述した図９及び図１０のフローチャートのステップＳ５１〜Ｓ６８、及びステップＳ７０、Ｓ７２〜Ｓ８５と同じであるので、それぞれ対応するステップ番号を参照してここでの説明は省略する。
【０１０１】
ステップＳ１０８に於いて、現在のモードがオートフォーカス（ＡＦ）かマニュアルフォーカス（ＭＦ）であるかが判定される。ここで、ＡＦモードである場合はステップＳ１０９へ移行し、ＭＦモードである場合はステップＳ１１１へ移行する。
【０１０２】
ステップＳ１０８にてＡＦモードである場合は、ステップＳ１０９にて赤外ＬＥＤＤ２によるＡＦ補助光が点灯される。そして、ステップＳ１１０にて積分完了となるまで、ステップＳ１０９及びＳ１１０の処理が繰り返される。一方、上記ステップＳ１０８にてＭＦモードの場合は、ステップＳ１１１に移行して可視光ＬＥＤＤ３によるＡＦ補助光が点灯される。この点灯は、ステップＳ１１２にて積分が完了するまで続けられる。すなわち、ステップＳ１１１及びＳ１１２の処理が繰り返される。
【０１０３】
このように第２の実施形態によれば、ＡＦモード時のＡＦ補助光に赤外ＬＥＤを用い、ＭＦモード時のＡＦ補助光に可視光ＬＥＤを用いるようにしているので、エネルギーを効率良く使用することができる。
【０１０４】
尚、上述した例では、ＭＦモード時に可視光ＬＥＤを使用しているが、これに限られずに、例えば第１の実施形態の変形例と同様に可視光ランプを使用しても良いのは勿論である。
【０１０５】
（第３の実施形態）
次に、本発明の第３の実施形態について説明する。
【０１０６】
本第３の実施形態では、スレーブストロボを使用した場合の例について説明する。
【０１０７】
尚、第２の実施形態に於けるカメラの構成及び基本的な動作については、図１乃至図１１に示される第１の実施形態及び図１２乃至図１４に示される第２の実施形態のカメラの構成及び動作と同じであるので、同一の部分には同一の参照番号を付して、その図示及び説明を省略し、異なる部分についてのみ説明する。
【０１０８】
スレーブストロボを使用する場合は、カメラ内蔵のストロボ発光部４１の本発光に従ってスレーブストロボが発光するようになっている。そのため、ＡＦ補助光としてストロボ発光部４１が発光すると、その度にスレーブストロボが発光することになる。したがって、第３の実施形態では、メインルーチンのステップＳ４に於ける「釦・モード変更処理」に於いて、メニュー画面からスレーブストロボの仕様を設定することができるようにしている。この場合、スレーブストロボ側では、カメラ内蔵のストロボ発光部４１について、調光のためのプリ発光の有無や回数についても設定することができるようにしている。
【０１０９】
次に、図１５及び図１６を参照して、本発明の第３の実施形態に於けるカメラの基本的な動作のうち、上述した図７のフローチャートのステップＳ１１またはＳ２０のサブルーチン「測距」の動作について説明する。
【０１１０】
尚、図１３及び図１４のフローチャートに於いて、ステップＳ１３１〜Ｓ１４８、及びステップＳ１５２、Ｓ１５４〜Ｓ１６８の動作については、上述した図９及び図１０のフローチャートのステップＳ５１〜Ｓ６８、及びステップＳ７０、Ｓ７１〜Ｓ８５と同じであるので、それぞれ対応するステップ番号を参照してここでの説明は省略する。
【０１１１】
ステップＳ１４８に於いて、現在のモードがオートフォーカス（ＡＦ）かマニュアルフォーカス（ＭＦ）であるかが判定される。ここで、ＡＦモードである場合はステップＳ１４９へ移行し、ＭＦモードである場合はステップＳ１５４へ移行する。
【０１１２】
ステップＳ１４９では、スレーブストロボの使用の有無が判定される。その結果、スレーブストロボを使用している場合は、ステップＳ１５０に移行して、ＡＦ補助光用ＬＥＤ４８によるＡＦ補助光が点灯される。一方、スレーブストロボを使用していない場合は、ステップＳ１５１に移行して、ストロボ発光部４１の間欠発光によるＡＦ補助光が点灯される。そして、ステップＳ１５２にて積分完了となるまで、上述したステップＳ１４９〜Ｓ１５２の処理が繰り返される。その後、ステップＳ１５３にて、ＡＦ補助光用ＬＥＤ４８によるＡＦ補助光が消灯される。
【０１１３】
これに対し、上記ステップＳ１４８にてＭＦモードの場合は、ステップＳ１５４に移行してＬＥＤによるＡＦ補助光、すなわちＡＦ補助光用ＬＥＤ４８が点灯される。この点灯は、ステップＳ１５５にて積分が完了するまで続けられる。すなわち、ステップＳ１５４及びＳ１５５の処理が繰り返される。
【０１１４】
このように第３の実施形態によれば、スレーブストロボの使用時にはＭＦモード時と同様にＡＦ補助光用ＬＥＤを用いるようにしているので、エネルギーを効率良く使用することができる。
【０１１５】
尚、上述した例では、ＡＦモードでスレーブストロボ使用時とＭＦモード時に可視光ＬＥＤを使用しているが、これに限られずに、例えば第１の実施形態の変形例と同様に可視光ランプを使用しても良いのは勿論である。
【０１１６】
以上、本発明の実施形態について説明したが、本発明は上述した実施形態以外にも、本発明の要旨を逸脱しない範囲で種々の変形実施が可能である。
【図面の簡単な説明】
【０１１７】
【図１】本発明に係る一眼レフレックスタイプのデジタルカメラの外観構成を示すもので、ストロボ発光ユニットを収納した状態のカメラを右側後方より見た斜視図である。
【図２】本発明に係る一眼レフレックスタイプのデジタルカメラの外観構成を示すもので、ストロボ発光ユニットをポップアップした状態のカメラを左側後方より見た斜視図である。
【図３】本発明に係る一眼レフレックスタイプのデジタルカメラの外観構成を示すもので、ストロボ発光ユニットをポップアップした状態のカメラの正面図である。
【図４】本発明の第１の実施形態に於けるカメラのファインダ光学系の構成を示す斜視図である。
【図５】本発明の第１の実施形態に係るカメラのシステム構成を示すブロック図である。
【図６】図５に示される駆動回路４７及びＡＦ補助光用ＬＥＤ４８の回路構成の例を示した図である。
【図７】本発明の第１の実施形態に於けるカメラ１の基本的な動作を説明するフローチャートである。
【図８】図７のフローチャートのステップＳ５に於けるサブルーチン「常時測距」の動作を説明するフローチャートである。
【図９】図７のフローチャートのステップＳ１１及びＳ２０に於けるサブルーチン「測距」の動作を説明するフローチャートである。
【図１０】図７のフローチャートのステップＳ１１及びＳ２０に於けるサブルーチン「測距」の動作を説明するフローチャートである。
【図１１】本発明の第１の実施形態の変形例を示すもので、第１の実施形態に於いてＭＦ時のＡＦ補助光をＬＥＤから可視光ランプに替えた場合の駆動回路及びその周辺の回路構成図である。
【図１２】本発明の第２の実施形態を示すもので、第１の実施形態に於いてＡＦ補助光をＬＥＤから可視光ランプに替えた場合の駆動回路及びその周辺の回路構成図である。
【図１３】本発明の第２の実施形態に於けるカメラの基本的な動作のうち、図７のフローチャートのステップＳ１１またはＳ２０のサブルーチン「測距」の動作について説明するフローチャートである。
【図１４】本発明の第２の実施形態に於けるカメラの基本的な動作のうち、図７のフローチャートのステップＳ１１またはＳ２０のサブルーチン「測距」の動作について説明するフローチャートである。
【図１５】本発明の第３の実施形態に於けるカメラの基本的な動作のうち、図７のフローチャートのステップＳ１１またはＳ２０のサブルーチン「測距」の動作について説明するフローチャートである。
【図１６】本発明の第３の実施形態に於けるカメラの基本的な動作のうち、図７のフローチャートのステップＳ１１またはＳ２０のサブルーチン「測距」の動作について説明するフローチャートである。
【符号の説明】
【０１１８】
１…カメラ、１０…レンズ鏡筒、１１…撮影レンズ、１３…レンズ駆動機構、１４…絞り駆動機構、１５…レンズ制御用マイクロコンピュータ（Ｌμｃｏｍ）、２０…カメラ本体、２１…レリーズ釦、２２…モードダイヤル、２６…液晶モニタ、３３…ファインダ、３４…ポップアップ釦、４０…ストロボ発光ユニット、４１…ストロボ発光部、４４…充電発光制御回路、４７…駆動回路、４８…ＡＦ補助光用発光ダイオード（ＬＥＤ）、５０…ファインダ光学系、５１…第１反射ミラー、５２…第２反射ミラー、５３…第３反射ミラー、５４…第４反射ミラー、５６…フォーカシングスクリーン、５７…接眼レンズ、６０…結像レンズ、６１…表示用撮像素子、６３…測光センサ、６６…シャッタ、６７…撮影用撮像素子、７１…ＡＦセンサユニット、７２…ＡＦセンサ駆動回路、７３…ミラー駆動機構、７５…シャッタチャージ機構、７６…シャッタ制御回路、８０…ボディ制御用マイクロコンピュータ（Ｂμｃｏｍ）、８１…インターフェイス回路、８２…画像処理コントローラ、８５…記録メディア、８７…測光回路。
【図１】
2007072193.tif 000003
【図２】
2007072193.tif 000004
【図３】
2007072193.tif 000005
【図４】
2007072193.tif 000006
【図５】
2007072193.tif 000007
【図６】
2007072193.tif 000008
【図７】
2007072193.tif 000009
【図８】
2007072193.tif 000010
【図９】
2007072193.tif 000011
【図１０】
2007072193.tif 000012
【図１１】
2007072193.tif 000013
【図１２】
2007072193.tif 000014
【図１３】
2007072193.tif 000015
【図１４】
2007072193.tif 000016
【図１５】
2007072193.tif 000017
【図１６】
2007072193.tif 000018